(57)【要約】【課題】ねじを使用することなく外郭部材を光源側ユニットへ固定することのできる発光装置を提供する。【解決手段】ＬＥＤ光源２を備えた発光装置１において、ＬＥＤ光源２から発せられる光が入射するレンズ３と、レンズ３に取り付けられＬＥＤ光源２を覆うカバー部材４と、レンズ３とカバー部材４とを係合させ係合後にカバー部材４をレンズ３から離脱不能とする第１係合機構９と、カバー部材４に取り付けられカバー部材４を覆うキャップ部材５と、カバー部材４とキャップ部材５とを係脱自在に係合させる第２係合機構１０と、を備えた。【選択図】図１
2010225507.tif 000002
【特許請求の範囲】
【請求項１】
ＬＥＤ光源と、
前記ＬＥＤ光源から発せられる光が入射するレンズと、
前記レンズに取り付けられ前記ＬＥＤ光源を覆うカバー部材と、
前記レンズと前記カバー部材とを係合させ、係合後に前記カバー部材を前記レンズから離脱不能とする第１係合機構と、
前記カバー部材に取り付けられ前記カバー部材を覆うキャップ部材と、
前記カバー部材と前記キャップ部材とを、係脱自在に係合させる第２係合機構と、を備える発光装置。
【請求項２】
前記第１係合機構は、
前記レンズ及び前記カバー部材の一方に設けられた突部と、
前記レンズ及び前記カバー部材の他方に設けられ前記突部と係合する凹部と、を有する請求項１に記載の発光装置。
【請求項３】
前記カバー部材は、前記ＬＥＤ光源を覆う筒状に形成された本体と、前記本体の内周面に形成された複数の前記突部と、を有し、
前記レンズは、前記本体の内部に配置される突出部と、前記突出部の基端側に形成され複数の前記突部を受容可能な凹部と、を有する請求項２に記載の発光装置。
【請求項４】
前記カバー部材は、前記本体の内周面に形成され前記ＬＥＤ光源の位置決めを行うリブ部を有する請求項３に記載の発光装置。
【請求項５】
前記ＬＥＤ光源は、基板と、前記基板に実装されるＬＥＤ装置と、を有し、
前記レンズは、前記突出部の先端に前記ＬＥＤ装置を受容する受容孔を有し、
前記基板は、前記レンズの前記突出部の先端と当接する請求項４に記載の発光装置。
【請求項６】
前記第２係合機構は、
前記カバー部材及び前記キャップ部材の一方に設けられた爪部と、
前記カバー部材及び前記キャップ部材の他方に設けられ前記爪部と係脱自在な被係合部と、を有する請求項５に記載の発光装置。
【発明の詳細な説明】
【技術分野】
【０００１】
本発明は、ＬＥＤ光源から発せられる光を、レンズを介して外部へ出射する発光装置に関する。
【背景技術】
【０００２】
従来、この種の発光装置として、電路板及び該電路板に設置する少なくとも一つの発光ダイオードを備えるＬＥＤランプをシェード本体の第１空間内に配置し、発光ダイオードを囲む形状の反射カバーと、反射カバーに設置し発光ダイオードの前に設置する透明カバーを設けた発光装置が知られている（例えば、特許文献１参照）。この発光装置では、電源ジョイントはシェード本体の第二空間の上に設置され、ねじにより電源ジョイント、シェード及び反射カバーが一体にされている。
【０００３】
また、他の発光装置として、４つの白色発光ダイオードを固定した円形基板と、この円形基板の前側にロッド状スペーサにより一定距離離して配置したレンズ固定板と、このレンズ固定板に前記発光ダイオードに対応する状態で嵌着されるレンズと、前記レンズ固定板の前側に位置してこのレンズ固定板と協働して前記各レンズを固定保持する前カバーと、前記円形基板の背面側に連結固定されている放熱ブラケットと、この放熱ブラケットを内面部分に固定するランプシェードとで形成されたものが知られている（例えば、特許文献２参照）。この発光装置では、ランプシェードは、放熱ブラケットによりねじで固定されている。
【先行技術文献】
【特許文献】
【０００４】
【特許文献１】実用新案登録第３１４６６９６号公報
【特許文献２】特開２００６−２９４５２６号公報
【発明の概要】
【発明が解決しようとする課題】
【０００５】
しかしながら、特許文献１及び２に記載の発光装置では、装置の外郭部材をなすシェードをねじにより固定している。このように、シェード、キャップ部材等の外郭部材をねじにより固定すると、ねじの緩みに起因して外郭部材から光源側のユニットが脱落するおそれがある。
【０００６】
本発明は前記事情に鑑みてなされたものであり、その目的とするところは、ねじを使用することなく外郭部材を光源側ユニットへ固定することのできる発光装置を提供することにある。
【課題を解決するための手段】
【０００７】
本発明によれば、ＬＥＤ光源と、前記ＬＥＤ光源から発せられる光が入射するレンズと、前記レンズに取り付けられ前記ＬＥＤ光源を覆うカバー部材と、前記レンズと前記カバー部材とを係合させ、係合後に前記カバー部材を前記レンズから離脱不能とする第１係合機構と、前記カバー部材に取り付けられ前記カバー部材を覆うキャップ部材と、前記カバー部材と前記キャップ部材とを、係脱自在に係合させる第２係合機構と、を備える発光装置が提供される。
【０００８】
この発光装置において、前記第１係合機構は、前記レンズ及び前記カバー部材の一方に設けられた突部と、前記レンズ及び前記カバー部材の他方に設けられ前記突部と係合する凹部と、を有していてもよい。
【０００９】
この発光装置において、前記カバー部材は、前記ＬＥＤ光源を覆う筒状に形成された本体と、前記本体の内周面に形成された複数の前記突部と、を有し、前記レンズは、前記本体の内部に配置される突出部と、前記突出部の基端側に形成され複数の前記突部を受容可能な凹部と、を有していてもよい。
【００１０】
この発光装置において、前記カバー部材は、前記本体の内周面に形成され前記ＬＥＤ光源の位置決めを行うリブ部を有していてもよい。
【００１１】
この発光装置において、前記ＬＥＤ光源は、基板と、前記基板に実装されるＬＥＤ装置と、を有し、前記レンズは、前記突出部の先端に前記ＬＥＤ装置を受容する受容孔を有し、前記基板は、前記レンズの前記突出部の先端と当接していてもよい。
【００１２】
この発光装置において、前記第２係合機構は、前記カバー部材及び前記キャップ部材の一方に設けられた爪部と、前記カバー部材及び前記キャップ部材の他方に設けられ前記爪部と係脱自在な被係合部と、を有していてもよい。
【発明の効果】
【００１３】
本発明によれば、ねじを使用することなく、キャップ部材を、ＬＥＤ光源、レンズ及びカバー部材を含む光源側ユニットへ固定することができる。また、レンズと係合したカバー部材はレンズから離脱不能であることから、カバー部材により覆われるＬＥＤ光源を的確に保護することができる。
【図面の簡単な説明】
【００１４】
【図１】図１は、本発明の一実施形態を示す発光装置の縦断面図である。
【図２】図２は、発光装置の分解斜視図である。
【図３】図３は、カバー部材を説明するための図であり、（ａ）がカバー部材の平面図であり、（ｂ）がカバー部材の縦断面図であり、（ｃ）がカバー部材の底面図である。
【図４】図４は、発光装置の外観斜視図である。
【図５】図５は、変形例を示す発光装置の縦断面図である。
【図６】図６は、変形例を示す発光装置の縦断面図である。
【図７】図７は、変形例を示す発光装置の縦断面図である。
【発明を実施するための形態】
【００１５】
図１から図４は本発明の一実施形態を示すものであって、図１は本発明の一実施形態を示す発光装置の縦断面図、図２は発光装置の分解斜視図である。
図１に示すように、発光装置１は、ＬＥＤ光源２とＬＥＤ光源２から発せられる光が入射するレンズ３と、レンズ３に取り付けられＬＥＤ光源２を覆うカバー部材４と、カバー部材４に取り付けられカバー部材４を覆うキャップ部材５と、を備えている。また、発光装置１は、ＬＥＤ光源２に電力を供給するためのハーネス６と、ハーネス６が収容されるパイプ７と、を備えている。さらに、発光装置１は、レンズ３とカバー部材４とを係合させ、係合後にカバー部材４をレンズ３から離脱不能とする第１係合機構９と、カバー部材４とキャップ部材５とを、係脱自在に係合させる第２係合機構１０と、を備えている。以下、発光装置１の各部について詳述する。
【００１６】
ＬＥＤ光源２は、ＬＥＤ装置２１と、ＬＥＤ装置２１が表面に搭載される基板２２と、を有している。また、基板２２の裏面には、ハーネス６のコネクタ６１と接続されるコネクタ２３が配置されている。
【００１７】
ＬＥＤ装置２１は、ＬＥＤ素子が配置される凹部を有するケースを有し、凹部内が樹脂により封止される表面実装型のＬＥＤパッケージである。ＬＥＤ素子はＧａＮ系材料を含む青色光を発し、封止樹脂には青色光により励起されると黄色光を発する蛍光体が含まれている。ＬＥＤ装置２１は、青色光と黄色光の組み合わせにより白色光を発する。
【００１８】
基板２２は、矩形状に形成され、表面に実装されるＬＥＤ装置２１と、裏面に配置されるコネクタ２３とを電気的に接続する。基板２２の基材となる材質は任意であるが、表面には基材よりも反射率の高い反射層が形成されていることが望ましい。例えば、基板２２としてガラスエポキシ基板を用いた場合、表面の反射層として白色樹脂を形成することが好ましい。
【００１９】
コネクタ２３は、基板２２の裏面に立設されており、直方体形状を呈する。コネクタ２３は、基板２２と反対側の面に開口を有し、ハーネス６側のコネクタと電気的に接続可能となっている。
【００２０】
レンズ３は、樹脂、ガラス等の透明材からなり、略卵形の外形を呈する。レンズ３は、所定方向の一端側にＬＥＤ装置２１を受容する受容孔３１を有する。図１においては、所定方向は上下方向であり、一端側は上端側となっている。ここからは、図１に合わせて、所定方向を上下方向として説明する。本実施形態においては、レンズ３は、ＬＥＤ装置２１の光軸と一致する中心軸Ｍを中心とした回転対称体である。
【００２１】
レンズ３は、中実に形成され、カバー部材４の本体４１の内部に配置される突出部３７と、突出部３７の基端側に形成される凹部３６と、を有している。本実施形態においては、突出部３７は、レンズ３の上端に半球状に形成される。レンズ３の表面は、突出部３７の表面をなす突出面３２と、突出面３２の下端から径方向外側へ延びる当接面３３と、当接面３３の径方向外縁から径方向外側へ傾斜して下方へ延びる傾斜面３４と、傾斜面３４の下端から径方向内側へ傾斜して下方へ延びる下端面３５と、を有する。
【００２２】
図２に示すように、受容孔３１は、突出部３７の上端からレンズ３下方へ向かって形成される。本実施形態においては、受容孔３１は、略円柱状に形成され、下端が平坦面３１ａをなしている。この平坦面３１ａは、ＬＥＤ装置２１から発せられた光を下方へ導くのに効果的である。
【００２３】
突出面３２の上端には、受容孔３１の形成部分を包囲する平坦面３２ａが形成される。この平坦面３２ａは、基板２２との当接面をなしており、基板２２のレンズ３に対する上下位置が一義的に定まるようになっている。また、突出面３２の下端には、径方向内側に凹んだ凹部３６が形成されている。本実施形態においては、凹部３６は、周方向にわたって形成され、カバー部材４の突部４５を受容可能に構成されている。
【００２４】
当接面３３は、平坦に形成され、カバー部材４及びキャップ部材５の下端が当接する。本実施形態においては、当接面３３は、水平に形成され、平面視にて、突出面３２を包囲するドーナツ型を呈している。
【００２５】
傾斜面３４は、上から下へ向かって拡径するよう形成され、ＬＥＤ装置２１から発せられた光のうち、中心軸Ｍに対するなす角が１５°から３０°までの光が入射する。本実施形態においては、傾斜面３４は、縦断面にて直線的に形成されている。ＬＥＤ装置２１から直接的に傾斜面３４へ入射した光は、傾斜面３４にて下端面３５へ向けて反射される。
【００２６】
下端面３５は、下方へ窄むよう形成され、ＬＥＤ装置２１から発せられた光のうち、中心軸Ｍに対するなす角が１５°までの光が入射する。本実施形態においては、下端面３５は、中心軸Ｍを中心とした回転放物面が集合した形状である。ＬＥＤ装置２１から直接的に下端面３５へ入射する光のうち、中心軸Ｍに対するなす角が６°までの光は、下端面３５で屈折した後にレンズ３から下方へ放射される。ＬＥＤ装置２１から直接的に下端面３５へ入射する光のうち、中心軸Ｍに対するなす角が６°から１５°までの光は、下端面３５にてレンズ３の下端へ向けて反射される。下端面３５へ向けて反射された光は、下端面３５で屈折した後にレンズ３から径方向外側へ放射される。
【００２７】
図３はカバー部材を説明するための図であり、（ａ）がカバー部材の平面図であり、（ｂ）がカバー部材の縦断面図であり、（ｃ）がカバー部材の底面図である。
図３に示すように、カバー部材４は、下方へ向かって拡径する中心軸Ｍを中心とした円筒状に形成される。カバー部材４の材質は任意であるが、本実施形態においてはポリアセタールが用いられ、黒色を呈している。図３（ａ）に示すように、カバー部材４は、下方へ向かって拡開する本体４１と、本体４１の上端を閉塞するよう形成された上面部４２と、上面部４２に形成された挿通孔４３と、本体４１の上下中央に形成されキャップ部材５と係合する爪部４４と、本体４１の内面下端に形成されレンズ３の凹部３６に嵌合する突部４５と、本体４１の内面から上面部４２の下面にかけて形成されＬＥＤ装置２を位置決めするリブ部４６と、を有している。本体４１及び上面部４２は、一定の厚さで形成されている。
【００２８】
図３（ｂ）に示すように、挿通孔４３は、ＬＥＤ装置２１のコネクタ２３を挿通するよう形成される。コネクタ２３の上端とカバー部材４の上端とは同じ高さに形成され、ハーネス６のコネクタ６１が外された状態で、コネクタ２３がカバー部材４の上面部４２から露出する。
【００２９】
爪部４４は、本体４１の上下中央部に、周方向に等間隔で複数形成される。本実施形態においては、爪部４４は、周方向に６０°間隔で３箇所形成されている。爪部４４は、本体４１に形成された孔部４７の内部に配置され、孔部４７の上端から下方へ向かって延びる延在部４４ａと、延在部４４ａの下端に形成され径方向外側へ突出する突出部４４ｂと、を有している。延在部４４ａは、上下に延びていることから弾性変形しやすく、突出部４４ｂの径方向内側への変位を許容する。
【００３０】
図３（ｃ）に示すように、突部４５は、本体４１の内面下端に、周方向に等間隔で複数形成される。本実施形態においては、突部４５は、周方向に６０°間隔で３箇所形成されている。本体４１の下端開口は、切り込み等が形成されておらず、閉断面をなしていることから、変形し難くなっており、各突部４５の径方向への変位は許容されていない。突部４５は、レンズ３の凹部３６と隙間なく嵌合する。本実施形態においては、第１係合機構９は、カバー部材４に設けられた突部４５と、レンズ３に設けられ突部４５と係合する凹部３６と、を有している。
【００３１】
リブ部４６は、本体４１の内面にて上下に延び、上端が上面部４２の下面と一体となっている。リブ４６は上下にわたって一定の厚さであり、ＬＥＤ装置２１の基板２２と垂直に形成される。リブ４６の端面は、下端から上方へ向かって径方向内側へ傾斜する案内部４６ａと、案内部４６ａの上端から上方へ延びる垂直部４６ｂと、垂直部４６ｂの上端から径方向内側へ延びる水平部４６ｃと、水平部４６ｃの径方向内端から上方へ延びる接続部４６ｄと、を有している。
【００３２】
本実施形態においては、リブ部４６は、ＬＥＤ装置２１の前側及び後側に１箇所ずつ、ＬＥＤ装置２１の左側及び右側に２箇所ずつ形成される。ＬＥＤ装置２１をカバー部材４の内部に挿入して上方へ移動させると、各リブ部４６の案内部４６ａにより前後左右に案内され、基板２２の上面が水平部４６ｃと当接したところで、ＬＥＤ装置２１が前後左右に位置決めされる。本実施形態においては、垂直部４６ｂの上下寸法と、基板２２の厚さ寸法とが等しくなっている。
【００３３】
図１に示すように、キャップ部材５は、上方へ向かって縮径する中心軸Ｍを中心とした中空の円錐状に形成される。キャップ部材５の材質は任意であるが、本実施形態においてはＡＢＳ（Acr ylonitrile_Butadiene_Styrene）樹脂が用いられ、外表面にはクロムメッキが施されている。キャップ部材５の外表面は、レンズ３の外表面をなす傾斜面３４と面一に形成されている。
【００３４】
キャップ部材５は、下方へ向かって拡開する本体５１と、本体５１の上端に形成された挿通孔５２と、本体５１の内面に形成された凹溝５３と、を有している。挿通孔５２は、ハーネス６を内包するパイプ７を挿通する。被係合部としての凹溝５３は、本体５１の内面下側に形成され、周方向にわたって形成される。キャップ部材５は、カバー部材４の爪部４４を凹溝５３にて受容することにより、カバー部材４に係脱自在に取り付けられる。本実施形態においては、第２係合機構１０は、カバー部材４に設けられた爪部４４と、キャップ部材５に設けられた凹溝５３と、を有している。
【００３５】
ハーネス６は、可撓性を有し、ＬＥＤ装置２１と外部電源とを電気的に接続している。ハーネス６は、一端にＬＥＤ装置２１のコネクタ２３と接続可能なコネクタ６１を有し、他端側はパイプ７を通じて外部電源側に接続されている。
【００３６】
パイプ７は、断面が円形に形成される。パイプ７の材質は任意であるが、本実施形態においてはステンレスが用いられる。パイプ７の先端には、孔部７１が形成されている。パイプ７は先端に円筒状のカラー部材８が固定され、カラー部材８がキャップ部材５の内面と当接することにより、パイプ７のキャップ部材５からの脱落が阻止される。カラー部材８は、パイプ７の孔部７１と係脱自在な爪部８１を有している。
【００３７】
以上のように構成された発光装置１は、以下の工程を経て製造される。
まず、基板２２にＬＥＤ素子及びコネクタ２３を実装してＬＥＤ装置２１を作製する。そして、ＬＥＤ装置２１をカバー部材４の内部に挿入し、ＬＥＤ装置２１がカバー部材４に対して前後左右に位置決めされた状態で、カバー部材４をレンズ３に取り付ける。これにより、カバー部材４の各突部４５がレンズ３の凹部３６と嵌合し、カバー部材４はレンズ３に対して離脱不能となる。これにより、光源側ユニットが完成する。
【００３８】
一方、パイプ７にハーネス６を挿通しておき、キャップ部材５の挿通孔５２にパイプ７の一端側を挿通する。そして、カラー部材８をパイプ７の一端に取り付けた後、ハーネス６にコネクタ６１を取り付ける。この後、ハーネス６のコネクタ６１と、光源側ユニットのコネクタ２３とを接続する。次いで、キャップ部材５をレンズ３側に近接させて、キャップ部材５の凹溝５３とカバー部材４の各爪部４４とを係合させて、キャップ部材５とカバー部材４を固定し、発光装置１が完成する。パイプ７は、他端側が天井側に吊されて使用される。
【００３９】
本実施形態の発光装置１によれば、ねじを使用することなく、キャップ部材５を、ＬＥＤ光源２、レンズ３及びカバー部材４を含む光源側ユニットへ固定することができる。従って、振動等によって固定箇所が緩んでいくようなことはなく、光源側ユニットがキャップ部材５から脱落することを防止できる。
【００４０】
また、従来の発光装置に対し、ねじ等の締結部材を省略して部品点数を削減することができる。さらに、締結工程を省略することにより、光源側ユニットとキャップ部材５との組み付け時間を短縮することができ、製造コストの低減に効果的である。
【００４１】
また、カバー部材４をレンズ３と係合可能とし、レンズ３と係合後には離脱不能としたので、製造時にＬＥＤ光源２及びカバー部材４をレンズ３側に簡単容易に取り付けることができるし、使用時にカバー部材４により覆われるＬＥＤ光源２を的確に保護することができる。特に、使用者等が誤ってカバー部材４を取り外し、ＬＥＤ光源２を損壊することを防止することができる。
【００４２】
また、カバー部材４をキャップ部材５と係脱自在としたので、ＬＥＤ光源２が不灯状態となったり光量が低下したりしても、カバー部材４、レンズ３とともにＬＥＤ光源２を交換することにより、発光装置１を引き続き使用することができる。また、発光装置１の使用用途に応じて、カバー部材４、レンズ３及びＬＥＤ光源２を異なる仕様のものに交換することができ、ＬＥＤ光源２の色彩や光量を変更したり、レンズ３の形状を変更して光の出射状態を変更したりすることができる。また、本実施形態においては、カバー部材４がレンズ３の下端に写りこんで意匠の一部をなしているため、カバー部材４の色彩を変更することにより、発光装置１を意匠的に変更することもできる。
【００４３】
また、ＬＥＤ光源２とレンズ３とは、基板２２と突出面３２とが当接することにより上下方向に位置決めされる。そして、ＬＥＤ光源２はカバー部材４に対して基板２２とリブ部４６とが当接することにより前後左右に位置決めされ、カバー部材４がレンズ３の突出面３２を平面視にて包囲してレンズ３に対して前後左右に位置決めされることから、ＬＥＤ光源２はカバー部材４を介してレンズ３に対して前後左右に位置決めされる。これにより、ＬＥＤ光源２をレンズ３に対して的確に位置決めすることができる。また、カバー部材４の突部４５とレンズ３の凹部３６とが隙間なく嵌合することにより、カバー部材４をレンズ３に取り付けた後に、カバー部材４及びＬＥＤ光源２がレンズ３に対してガタつくようなことはない。
【００４４】
また、カバー部材４及びキャップ部材５の下端がレンズ３の当接面３３と当接するようにしたので、塵埃等がカバー部材４及びキャップ部材５とレンズ３との間隙からＬＥＤ光源２側に侵入することはなく、ＬＥＤ光源２及び電気的接続部位を的確に保護することができる。
また、図４に示すように、キャップ部材５とレンズ３とが当接するとともに、キャップ部材５の外表面がレンズ３の外表面と面一であるので、キャップ部材５とレンズ３が一体であるとの印象を看者に与えることができる。ここで、図４は、発光装置の外観斜視図である。
【００４５】
また、受容孔３１を円柱形状とし、ＬＥＤ光源２の下側を平坦面３１ａとしたので、ＬＥＤ光源２から出射される光の多くを、レンズ３の中心軸Ｍとのなす角が小さくなるようレンズ３内へ導くことができる。これにより、レンズ３の下端へより多くの光を導くことができ、レンズ３の下端の発光量を増大させることができる。
【００４６】
尚、前記実施形態においては、略卵形のレンズ３を例示したが、レンズ３の形状は任意に変更することができる。例えば、図５に示すように、レンズ１０３の傾斜面１３４が下方へ向かって径方向内側に傾斜するようにし、下端面１３５の曲率が比較的小さい発光装置１０１としてもよい。また、例えば、図６に示すように、レンズ２０３が、水平面３３の径方向外縁から中心軸と平行に延びる側面２３６と、側面２３６の下端から径方向内側へ傾斜して下方へ延びる傾斜面２３４と、傾斜面２３４の下端から径方向内側へ傾斜して下方へ延びる下端面２３５と、を有する発光装置２０１としてもよい。さらに、例えば、図７に示すように、レンズ３０３が、水平面３３の径方向外縁から中心軸と平行に延びる側面３３６と、側面３３６の下端から径方向内側へ傾斜して下方へ延びる下端面３３５と、を有する発光装置３０１としてもよい。
【００４７】
また、前記実施形態においては、第１係合機構９が、カバー部材４の本体４１に形成された突部４５と、レンズ３の突出部３７に形成された凹部３６と、を有するものを示したが、カバー部材４側に凹部を形成し、レンズ３側に突部を形成するようにしてもよい。また、第１係合機構９として、突部と凹部以外の組み合わせを用いることもでき、要は、カバー部材４がレンズ３と係合可能で係合後にレンズ３から離脱不能となればよい。
【００４８】
また、前記実施形態においては、第２係合機構１０が、カバー部材４の本体４１に形成された爪部４４と、キャップ部材５に形成された凹溝５３と、を有するものを示したが、カバー部材４側に凹溝を形成し、キャップ部材５側に爪部を形成するようにしてもよい。また、第２係合機構１０として、爪部と凹溝以外の組み合わせを用いることもでき、要は、カバー部材４とキャップ部材５とが係脱自在に係合すればよい。
【００４９】
また、前記実施形態においては、受容孔３１にてＬＥＤ装置２１とレンズ３が離隔しているものを示したが、ＬＥＤ装置２１をレンズ３と接触させるようにしてもよい。これにより、ＬＥＤ装置２１とレンズ３との間に空気が介在せず、光学的な制御が容易となる。また、受容孔３１内に、ＬＥＤ装置２１とレンズ３の間に可撓性の拡散シートを設け、ＬＥＤ装置２１とレンズ３の間に空気が入り込まないようにしてもよい。
【００５０】
また、前記実施形態においては、受容孔３１が円柱形状であるものを示したが、多角柱状や半球状であってもよい。
また、カバー部材４の本体４１を円筒状に形成したが、例えば角筒状のような他の筒状としてもよい。さらに、カバー部材４は、例えば半球状であってもよく、その形状を任意に変更することができる。
【００５１】
また、ＬＥＤ光源２の構成も任意であり、例えば基板を設けない構成としたり、例えば砲弾型のＬＥＤ装置を用いた構成としてもよい。また、ＬＥＤ光源２の発光色も任意であり、前記実施形態のように白色としてもよいし、赤色、橙色、緑色、青色等としてもよい。
【００５２】
また、前記実施形態においては、レンズ３が無色透明であるものを示したが、有色のレンズ３としてもよいことは勿論である。また、レンズ３として、下端に発光が集中するものを例示したが、全体的に均一に発光するレンズ３を用いてもよく、その他の細部構成についても適宜に変更可能であることは勿論である。
【符号の説明】
【００５３】
１      発光装置
２      ＬＥＤ光源
３      レンズ
４      カバー部材
５      キャップ部材
６      ハーネス
７      パイプ
８      カラー部材
９      第１係合機構
１０    第２係合機構
２１    ＬＥＤ装置
２２    基板
２３    コネクタ
３１    受容孔
３１ａ  平坦面
３２    突出面
３２ａ  平坦面
３３    当接面
３４    傾斜面
３５    下端面
４１    本体
４２    上端面
４３    挿通孔
４４    爪部
４４ａ  延在部
４４ｂ  突出部
４５    突部
４６    リブ部
５１    本体
５２    挿通孔
５３    凹溝
７１    孔部
８１    突起
【図１】
2010225507.tif 000003
【図２】
2010225507.tif 000004
【図３】
2010225507.tif 000005
【図４】
2010225507.tif 000006
【図５】
2010225507.tif 000007
【図６】
2010225507.tif 000008
【図７】
2010225507.tif 000009